(57)【要約】【課題】通信品質を維持しつつツイストペア線を分岐できる分岐コネクタ等を提供する。【解決手段】ツイストペア線を構成する２本の第１電線Ｗ１が互いの間隔を開けたツイスト形状に配策される配策経路部１１を有する第１ハウジング部１０と、ツイストペア線を構成する２本の第２電線Ｗ２にそれぞれ接続された一対の圧接端子５０が固定され、第１ハウジング部１０に組付けされた状態では、一対の圧接端子５０が２本の第１電線Ｗ１にそれぞれ圧接接続する第２ハウジング部２０とを備えた。【選択図】図１
2019079782.tif 000002
【特許請求の範囲】
【請求項１】
ツイストペア線を構成する２本の第１電線が互いの間隔を開けたツイスト形状に配策される配策経路部を有する第１ハウジングと、
ツイストペア線を構成する２本の第２電線にそれぞれ接続された一対の圧接端子が固定され、前記第１ハウジングに組付けされた状態では、一対の前記圧接端子が２本の前記第１電線にそれぞれ圧接接続する第２ハウジング部とを備えたことを特徴とする分岐コネクタ。
【請求項２】
請求項１記載の分岐コネクタであって、
前記配策経路部は、２本の前記第１電線が互いの間隔を開けたツイスト形状に倣ったツイスト溝を有することを特徴とする分岐コネクタ。
【請求項３】
請求項１又は請求項２記載の分岐コネクタであって、
前記配策経路部は、２本の前記第１電線の間に割り込むリブを有することを特徴とする分岐コネクタ。
【請求項４】
請求項３に記載の分岐コネクタであって、
前記第２ハウジング部は、前記第１ハウジング部に組付けされた状態で、前記ツイスト溝に入り込む突壁を有することを特徴とする分岐コネクタ。
【請求項５】
請求項１〜請求項４のいずれかに記載の分岐コネクタであって、
前記第２ハウジング部は、前記第１ハウジング部に組付けされ、コネクタ嵌合部を有する合体用ハウジング部と、一対の前記圧接端子が固定され、前記コネクタ嵌合部に嵌合される端子固定用ハウジング部とを備えたことを特徴とする分岐コネクタ。
【請求項６】
請求項１〜請求項４のいずれかに記載の分岐コネクタであって、
前記第２ハウジング部は、前記第１ハウジング部に組付けされる合体用ハウジング部と、一対の前記圧接端子が固定される端子固定用ハウジング部とが一体に形成されていることを特徴とする分岐コネクタ。
【請求項７】
請求項１〜請求項６のいずれかに記載の分岐コネクタであって、
一対の前記圧接端子が固定される一対の前記第２電線の端末部の外周には、フェライト部品がそれぞれ装着されていることを特徴とする分岐コネクタ。
【請求項８】
ツイストペア線を構成する２本の第１電線と、
ツイストペア線を構成する２本の第２電線と、
２本の前記第１電線と２本の前記第２電線の間を接続する、請求項１〜請求項７のいずれかに記載の分岐コネクタとを備えたことを特徴とする通信ネットワーク。
【発明の詳細な説明】
【技術分野】
【０００１】
本発明は、ツイストペア線の分岐を行う分岐コネクタ、及び、この分岐コネクタを用いた通信ネットワークに関する。
【背景技術】
【０００２】
ツイストペア線の従来の分岐コネクタとして特許文献１に開示されたものが提案されている。この分岐コネクタ１００は、図１７及び図１８に示すように、左右一対の端子収容室１０１を有するハウジング１０２と、各端子収容室１０１に配置される一対の圧接端子１１０とを備えている。一対の端子収容室１０１は、仕切壁１０３に仕切られている。この仕切壁１０３には、上方に突出する上方振分リブ１０４と下方に突設する下方振分リブ１０５が設けられている。又、各端子収容室１０１の上下中間位置には、梁部１０６がそれぞれ設けられている。梁部１０６は、下記する上方圧接刃１１１の下方からの進入位置には配置されていない。
【０００３】
各圧接端子１１０は、上位置に配置された上方圧接刃１１１と下方位置に配置された下方圧接刃１１２と有する。上方圧接刃１１１と下方圧接刃１１２は、互いに連結されている。
【０００４】
次に、ハウジング１０２に第１電線Ｗ１、第２電線Ｗ２及び圧接端子１１０を組付ける作業を説明する。先ず、ツイストを一部解除した２本の第２電線Ｗ２を、下方振分リブ１０５で振り分けてハウジング１０２の下方より一対の端子収容室１０１に挿入する。
【０００５】
次に、各圧接端子１１０をハウジング１０２の下方より各端子収容室１０１にそれぞれ挿入する。この挿入に際しては、梁部１０６によって第２電線Ｗ２が上方への移動を阻止されるため、上方圧接刃１１１が第２電線Ｗ２の絶縁被覆を切断しつつ通過し、その後更に圧接端子１１０の下方からの挿入を続けることで第２電線Ｗ２が下方圧接刃１１２に圧接接続される。
【０００６】
次に、ツイストを一部解除した２本の第１電線Ｗ１を、上方振分リブ１０４で振り分けてハウジング１０２の上方から一対の端子収容室１０１に挿入する。２本の第１電線Ｗ１がハウジング１０２の各端子収容室１０１に挿入されると、各第１電線Ｗ１が上方圧接刃１１１に圧接接続される。
【０００７】
これで、ツイストペア線を構成する２本の第１電線Ｗ１とツイストペア線を構成する２本の第２電線Ｗ２とが一対の圧接端子１１０を介して対応する電線同士が電気的に接続される。
【先行技術文献】
【特許文献】
【０００８】
【特許文献１】特開２０１６−１５２１４７号公報
【特許文献２】特開２０１６−１１５５０５号公報
【発明の概要】
【発明が解決しようとする課題】
【０００９】
しかしながら、前記従来の分岐コネクタ１００では、２本の第１電線Ｗ１と２本の第２電線Ｗ２は共に一部区間でツイスト形状がそれぞれ解かれるため、通信品質が低下するという問題がある。
【００１０】
そこで、本発明は、前記した課題を解決すべくなされたものであり、通信品質を維持しつつツイストペア線を分岐できる分岐コネクタ、及び、分岐コネクタを用いた通信ネットワークを提供することを目的とする。
【課題を解決するための手段】
【００１１】
本発明は、ツイストペア線を構成する２本の第１電線が互いの間隔を開けたツイスト形状に配策される配策経路部を有する第１ハウジングと、ツイストペア線を構成する２本の第２電線にそれぞれ接続された一対の圧接端子が固定され、前記第１ハウジングに組付けされた状態では、一対の前記圧接端子が２本の前記第１電線にそれぞれ圧接接続する第２ハウジング部とを備えたことを特徴とする分岐コネクタである。
【発明の効果】
【００１２】
本発明によれば、２本の第１電線が互いの間隔を広げられるが、ツイスト形状を維持して配策されるため、通信品質を維持しつつツイストペア線を分岐できる。
【図面の簡単な説明】
【００１３】
【図１】本発明の第１実施形態を示し、分岐コネクタの分解斜視図である。
【図２】本発明の第１実施形態を示し、分岐コネクタの全体斜視図である。
【図３】本発明の第１実施形態を示し、（ａ）は図２のＡ１−Ａ１線断面図、（ｂ）は図２のＡ２−Ａ２線断面図、（ｃ）は図２のＢ−Ｂ線断面図である。
【図４】本発明の第１実施形態を示し、第１ハウジング部の内面側を見た斜視図である。
【図５】本発明の第１実施形態を示し、（ａ）は第２ハウジングの合体用ハウジング部の内面側を見た斜視図、（ｂ）は第２ハウジング部の合体用ハウジング部の外面側を見た斜視図である。
【図６】本発明の第１実施形態を示し、第１ハウジング部に２本の第１電線を配策した状態の平面図である。
【図７】本発明の第１実施形態を示し、第１ハウジング部に合体用ハウジング部を合体させる手前の状態を示す斜視図である。
【図８】本発明の第１実施形態を示し、端子固定用ハウジング部を合体用ハウジング部に嵌合させる前の状態を示す斜視図である。
【図９】本発明の第１実施形態を示し、端子固定用ハウジング部を合体用ハウジング部に嵌合させる前の状態を示す断面図である。
【図１０】本発明の第１実施形態を示し、通信ネットワークの構成図である。
【図１１】本発明の第２実施形態を示し、分岐コネクタの全体斜視図である。
【図１２】本発明の第２実施形態を示し、図１１のＥ−Ｅ線に沿い、第１ハウジング部を第２ハウジング部に嵌合させる前の状態を示す断面図である。
【図１３】本発明の第２実施形態を示し、図１１のＥ−Ｅ線に沿い、第１ハウジング部を第２ハウジング部に嵌合させた状態を示す断面図である。
【図１４】本発明の第１実施形態の第１変形例を示し、分岐コネクタの斜視図である。
【図１５】本発明の第１実施形態の第２変形例を示し、分岐コネクタの概略斜視図である。
【図１６】本発明の第１実施形態の第３変形例を示し、分岐コネクタの概略斜視図である。
【図１７】従来例の分岐コネクタの斜視図である。
【図１８】従来例の分岐コネクタの断面図である。
【発明を実施するための形態】
【００１４】
以下、本発明の実施形態を図面に基づいて説明する。
【００１５】
（第１実施形態）
図１〜図１０は本発明の第１実施形態を示す。図１０に示すように、通信ネットワーク１は、車両に搭載されている。通信ネットワーク１は、幹線ｗ１と、幹線ｗ１の複数点で分岐される複数の枝線ｗ２と、各枝線ｗ２にそれぞれ接続された複数のＥＣＵ（電子制御ユニット）２と、幹線ｗ１の両端に接続された２つの終端抵抗部３とを備えている。各ＥＣＵ２は、ＣＡＮインターフェース（図示せず）を搭載している。各ＥＣＵ２は、ＣＡＮ通信（コントローラエリアネットワーク）によって信号の送受信を行う。
【００１６】
幹線ｗ１は，ツイストペア線を構成する２本の第１電線Ｗ１が使用されている。２本の第１電線Ｗ１は、ほぼ密着したツイスト形状に配策されている。枝線ｗ２は、同じくツイストペア線を構成する２本の第２電線Ｗ２が使用されている。２本の第２電線Ｗ２は、ほぼ密着したツイスト形状に配策されている。そして、ツイストペア線の分岐が分岐コネクタ５Ａによって行われている。以下、分岐コネクタ５Ａについて説明する。
【００１７】
図１〜図５に示すように、分岐コネクタ５Ａは、ツイストペア線を構成する２本の第１電線Ｗ１が通過するよう配策される第１ハウジング部１０と、ツイストペア線を構成する２本の第２電線Ｗ２にそれぞれ接続された一対の圧接端子５０が固定された第２ハウジング部２０とを備えている。
【００１８】
第１ハウジング部１０は、概略長方形の板状である。第１ハウジング部１０は、配策経路部１１を有する。配策経路部１１は、ツイスト溝１２と、２本の第１電線Ｗ１の配策方向に間隔を開けて立設された３箇所のリブ１３ａ、１３ｂとを有する。ツイスト溝１２は、２本の第１電線Ｗ１が互いの間隔を開けたツイスト形状に倣った形状の溝に形成されている。３箇所のリブ１３ａ，１３ｂは、２本の第１電線Ｗ１のほぼツイストピッチＰの間隔で配置されている。中央のリブ１３ａは、上方から見て菱形状である。中央のリブ１３ａの両側面が最も離間する中心位置が、下記する一対の圧接端子５０の圧接位置である。両側のリブ１３ｂは、上方から見て二等辺三角形状である。
【００１９】
配策経路部１１は、３つのリブ１３ａ，１３ｂが２本の第１電線Ｗ１の間にそれぞれ割り込むことで、２本の第１電線Ｗ１がツイスト形状を維持しつつ互いの間隔を開き、このツイスト形状でツイスト溝１２に配策される。ツイスト溝１２に配策された２本の第１電線Ｗ１は、ツイスト溝１２の両端より第１ハウジング部１０の外部にそれぞれ引き出される。配策経路部１１における２本の第１電線Ｗ１のツイストピッチは、配策経路部１１以外における２本の第１電線Ｗ１のツイストピッチＰとほぼ同じである。
【００２０】
配策経路部１１には、中央のリブ１３ａの頂面より各ツイスト溝１２の底面にまで連続する一対の圧接刃ガイド溝１４が設けられている。各圧接刃ガイド溝１４は、圧接刃５２の肉厚とほぼ同じ幅寸法、若しくは、若干だけ幅広の寸法に形成されている。
【００２１】
第１ハウジング部１０の両側面には、一対の係止爪１５が突設されている。
【００２２】
第２ハウジング部２０は、第１ハウジング部１０に組付けされる合体用ハウジング部２１と、合体用ハウジング部２１とは別体で、一対の圧接端子５０が固定される端子固定用ハウジング部３１とを備えている。
【００２３】
合体用ハウジング部２１は、第１ハウジング部１０より少しだけ大きな寸法に形成された上面壁２２と、この上面壁２２の全周縁より垂設された４つの側壁２３ａ，２３ｂとを有する。上面壁２２の内面には、ツイスト溝１２の形状に倣う形状（２本の第１電線Ｗ１が互いの間隔を広げたツイスト形状に倣う形状）の突壁２４が設けられている。突壁２４は、第１ハウジング部１０に組付けされた状態で、ツイスト溝１２に入り込む。上面壁２２の内部には、突壁２４に囲まれることによって位置決め凹部２４ａが設けられている。上面壁２２の両端部には、一対の位置決め孔２２ａが形成されている。上面壁２２には、一対の圧接刃進入孔２５（図３（ａ）、図５等参照）が形成されている。
【００２４】
４つの側壁２３ａ，２３ｂは、第１ハウジング部１０に組付けされた状態で、第１ハウジング部１０の全側面を被う位置に配置される。第１電線Ｗ１の配策方向に直交する一対の側壁２３ａには、一対の電線挿通溝２６がそれぞれ形成されている。両側壁２３ａの一対の電線挿通溝２６の間には、リブ２７が設けられている。各リブ２７は、第１ハウジング部１０に組付けされた状態で、第１ハウジング部１０の両側のリブ１３ｂと共に２本の第１電線Ｗ１の間に割り込む。
【００２５】
第１電線Ｗ１の配策方向と同じ方向に沿って延びる一対の側壁２３ｂには、一対の弾性係止枠２８が設けられている。一対の弾性係止枠２８が第１ハウジング部１０の係止爪１５に係止されることによって、第１ハウジング部１０と第２ハウジング部２０の合体用ハウジング部２１が組付けされる。
【００２６】
合体用ハウジング部２１は、上面壁２２の上面にコネクタ嵌合部２９を有する。コネクタ嵌合部２９の内部に、一対の圧接刃進入孔２５が開口している。コネクタ嵌合部２９の嵌合入口側には、一対の弾性係止枠３０が設けられている。コネクタ嵌合部２９には、端子固定用ハウジング部３１が嵌合される。
【００２７】
端子固定用ハウジング部３１は、コネクタハウジング部３２と、コネクタハウジング部３２にヒンジ３３を介して連結された閉塞蓋３４とを有する。コネクタハウジング部３２は、内部に端子収容室３５を有する。コネクタハウジング部３２の後壁３２ａには、端子挿入口３６が設けられている。コネクタハウジング部３２の前壁３２ｂには、圧接刃突出口３７が設けられている。コネクタハウジング部３２には、係止ランス４１を嵌合するランス嵌合口３８が設けられている。一対のコネクタハウジング部３２の前部側と後部側には、一対の係止爪３９ａ，３９ｂがそれぞれ設けられている。
【００２８】
閉塞蓋３４には、電線引出溝３４ａが形成されている。閉塞蓋３４には、一対の弾性係止枠４０が突設されている。閉塞蓋３４の一対の弾性係止枠４０をコネクタハウジング部３２の一対の係止爪３９ｂに係止することによって閉塞蓋３４で端子挿入口３６が閉じられる。
【００２９】
一対の圧接端子５０は、第２電線Ｗ２を加締め接続する加締め部５１と、第１電線Ｗ１に圧接接続する圧接刃５２とをそれぞれ有する。各圧接端子５０の加締め部５１は、ツイスト形状が解かれた各第２電線Ｗ２の端末部を加締め接続している。ツイスト形状が解かれた各第２電線Ｗ２の端末部の外周には、円筒形状のフェライト部品４２がそれぞれ装着されている。
【００３０】
一対の圧接端子５０は、コネクタハウジング部３２の端子収容室３５に係止ランス４１等によって位置決めされた状態で配置されている。各圧接端子５０の圧接刃５２は、圧接刃突出口３７より突出している。一対の圧接端子５０に接続された２本の第２電線Ｗ２は、端子挿入口３６、電線引出溝３４ａより外部に引き出されている。
【００３１】
次に、分岐コネクタ５Ａの組付け手順を説明する。ツイストペア線を構成する２本の第１電線Ｗ１を、第１ハウジング部１０のツイスト溝１２に挿入する。ツイスト溝１２への挿入は、２本の第１電線Ｗ１の間の３箇所にリブ１３ａ，１３ｂを割り込ませるようにして挿入することで容易に出来る。図６に示すように、ツイスト溝１２に挿入された２本の第１電線Ｗ１は、互いの間隔を広げたツイスト形状に配策される。
【００３２】
次に、図７に示すように、第１ハウジング部１０に第２ハウジング部２０の合体用ハウジング部２１を合体させる。つまり、第１ハウジング部１０に第２ハウジング部２０の合体用ハウジング部２１を被せ、第１ハウジング部１０の係止爪１５に合体用ハウジング部２１の弾性係止枠３０を係止する。これにより、第１ハウジング部１０のツイスト溝１２に合体用ハウジング部２１の突壁２４が入り込み、各第１電線Ｗ１がツイスト溝１２内に位置決めされる。
【００３３】
又、中央のリブ１３ａの先端側は、合体用ハウジング部２１の位置決め凹部２４ａに入り込む。両端の一対のリブ１３ｂは、合体用ハウジング部２１の一対の位置決め凹部２４ａに入り込む。これにより、第１ハウジング部１０と合体用ハウジング部２１、ひいては第２ハウジング部２０が位置決め状態で合体される。
【００３４】
第１ハウジング部１０と第２ハウジング部２０の合体用ハウジング部２１との合体作業前、若しくは、合体作業後に、ツイストペア線を構成する２本の第２電線Ｗ２に圧接端子５０をそれぞれ接続する作業と、第２ハウジング部２０の端子固定用ハウジング部３１への圧接端子５０の固定作業を行う。
【００３５】
２本の第２電線Ｗ２への圧接端子５０の接続作業は、２本の第２電線Ｗ２の端末部の被覆を皮むきする。皮むきの前、若しくは、皮むきの後に、各第２電線Ｗ２の端末部より奥側にフェライト４２をそれぞれ装着する。次に、各第２電線Ｗ２の端末部に各圧接端子５０の加締め部５１を加締め接続する。これで、完了する。
【００３６】
圧接端子５０の端子固定用ハウジング部３１への固定作業は、図１に示すように、閉塞蓋３４を開放位置とし、一対の圧接端子５０をその圧接刃５２を先頭としてコネクタハウジング部３２の端子収容室３５に挿入する。次に、ランス嵌合口３８より係止ランス４１を嵌合する。これで、一対の圧接端子５０は、端子固定用ハウジング部３１に固定される。次に、図２に示すように、閉塞蓋３４を閉塞位置とし、閉塞蓋３４の弾性係止枠４０を端子固定用ハウジング部３１の係止爪３９ｂに係止する。これで、完了する。
【００３７】
次に、図８及び図９に示すように、端子固定用ハウジング部３１を合体用ハウジング部２１のコネクタ嵌合部２９に嵌合する。つまり、端子固定用ハウジング部３１を合体用ハウジング部２１のコネクタ嵌合部２９内に挿入し、端子固定用ハウジング部３１の係止爪３９ａにコネクタ嵌合部２９の弾性係止枠３０を係止する。この嵌合過程で、一対の圧接端子５０の圧接刃５２が圧接刃ガイド溝１４にガイドされつつツイスト溝１２に進入する。嵌合完了状態では、一対の圧接端子５０の各圧接刃５２が各第１電線Ｗ１に圧接接続される。
【００３８】
以上説明したように、分岐コネクタ５Ａは、ツイストペア線を構成する２本の第１電線Ｗ１が互いの間隔を広げたツイスト形状に配策される配策経路部１１を有する第１ハウジング部１０と、ツイストペア線を構成する２本の第２電線Ｗ２にそれぞれ接続された一対の圧接端子５０が固定され、第１ハウジング部１０に組付けされた状態では、一対の圧接端子５０が２本の第１電線Ｗ１にそれぞれ圧接接続する第２ハウジング部２０とを備えている。
【００３９】
従って、２本の第１電線Ｗ１の間の間隔を広げるが、ツイスト形状を維持して配策されるため、通信品質を維持しつつツイストペア線を分岐できる。
【００４０】
配策経路部１１は、２本の第１電線Ｗ１が互いの間隔を開けたツイスト形状に倣ったツイスト溝１２を有する。従って、２本の第１電線Ｗ１のツイスト形状を確実に維持できるため、確実に通信品質を維持できる。
【００４１】
配策経路部１１は、２本の第１電線Ｗ１の間に割り込むリブ１３ａ，１３ｂを有する。従って、２本の第１電線Ｗ１の間の間隔を容易に広げることができる。
【００４２】
第２ハウジング部２０の合体用ハウジング部２１は、第１ハウジング部１０に組付けされた状態で、ツイスト溝１２に入り込む突壁２４を有する。従って、ツイスト溝１２に第１電線Ｗ１を確実に位置決めでき、通信品質を維持に寄与する。特に、この実施形態では、突壁２４は、ツイスト溝１２の形状に倣う形状（２本の第１電線Ｗ１が互いの間隔を広げたツイスト形状に倣う形状）であるため、ツイスト溝１２の全範囲に亘って確実な位置決めができる。
【００４３】
第２ハウジング部２０は、第１ハウジング部１０に組付けされ、コネクタ嵌合部２９を有する合体用ハウジング部２１と、一対の圧接端子５０が固定され、コネクタ嵌合部２９に嵌合される端子固定用ハウジング部３１とを備えている。
【００４４】
従って、分岐コネクタ５Ａが雄雌のコネクタ接続と同様な作業によってツイストペア線の分岐作業を行うことができる。幹線ｗ１に第１ハウジング部１０と合体用ハウジング部２１を組み付ける作業（幹線ｗ１側作業）と、枝線ｗ２に接続された端子固定用ハウジング部３１を合体用ハウジング部２１に嵌合する嵌合作業（幹線ｗ１に枝線ｗ２を接続する作業）とを別々のタイミングで行うことができるため、作業自由度が向上する。
【００４５】
ツイストペア線を構成する２本の第１電線Ｗ１は、３箇所でリブ１３ａ，１３ｂが第１電線Ｗ１間に介在され、且つ、その中央のリブ１３ａの位置で圧接刃５２が圧接接続されている。従って、２本の第１電線Ｗ１の引っ張り力が分岐コネクタ５Ａに作用しても圧接刃５２による圧接接続箇所に第１電線Ｗ１の引っ張り力が直接に作用しないため、圧接接続の信頼性が高い。
【００４６】
一対の圧接端子５０が固定される一対の第２電線Ｗ２の端末部の外周には、フェライト部品４２がそれぞれ装着されている。一対の第２電線Ｗ２の端末部は、ツイスト形状が解かれた状態で一対の圧接端子５０に固定されるが、フェライト部品４２によって各第２電線Ｗ２の電磁ノイズが低減されるため、通信品質の低下を極力防止できる。
【００４７】
通信ネットワーク１は、ツイストペア線を構成する２本の第１電線Ｗ１と、ツイストペア線を構成する２本の第２電線Ｗ２と、２本の第１電線Ｗ１と２本の第２電線Ｗ２の間を接続する、上記した構成の分岐コネクタ５Ａとを備えている。従って、分岐コネクタ５Ａ内では、２本の第１電線Ｗ１の間の間隔を広げられるが、分岐コネクタ５Ａ内でもツイスト形状を維持して配策される。以上より、通信品質を維持しつつツイストペア線を分岐した通信ネットワーク１が得られる。
【００４８】
（第２実施形態）
図１１〜図１３は本発明の第２実施形態を示す。通信ネットワーク１は、前記第１実施形態と同様の構成である（図１０参照）。この通信ネットワーク１において、ツイストペア線の分岐に分岐コネクタ（分岐接続構造）５Ｂが使用されている。
【００４９】
第２実施形態の分岐コネクタ５Ｂは、前記第１実施形態のものと比較するに、第２ハウジング部２０が単一のハウジングより形成されている点が相違する。
【００５０】
つまり、第２ハウジング部２０は、第１ハウジング部１０に組付けされる合体用ハウジング部２１と、一対の圧接端子５０が固定される端子固定用ハウジング部３１とが一体に形成されている。このように一体に形成されているため、合体用ハウジング部２１と端子固定用ハウジング部３１間をロックするための係止爪と弾性係止枠が設けられていない。
【００５１】
他の構成は、前記第１実施形態と同様であるため、同一構成箇所に同一符号を付して説明を省略する。
【００５２】
次に、分岐コネクタ５Ｂの組付け手順を説明する。ツイストペア線を構成する２本の第１電線Ｗ１を、第１実施形態で説明したように、第１ハウジング部１０のツイスト溝１２に挿入する。
【００５３】
次に、前記第１実施形態で説明した要領で、ツイストペア線を構成する２本の第２電線Ｗ２に圧接端子５０をそれぞれ接続する作業と、第２ハウジング部２０の端子固定用ハウジング部３１への圧接端子５０の固定作業を行う。
【００５４】
次に、前記第１実施形態で説明した要領で、第１ハウジング部１０に第２ハウジング部２０の合体用ハウジング部２１を合体させる。これにより、第１ハウジング部１０のツイスト溝１２に合体用ハウジング部２１の突壁２４が入り込み、各第１電線Ｗ１がツイスト溝１２内に位置決めされる。
【００５５】
この合体過程で、一対の圧接端子５０の圧接刃５２が圧接刃ガイド溝１４にガイドされつつツイスト溝１２に進入する。嵌合完了状態では、一対の圧接端子５０の各圧接刃５２が各第１電線Ｗ１に圧接接続される。
【００５６】
この第２実施形態の分岐コネクタ５Ｂでも、前記第１実施形態と同様の理由によって、分岐コネクタ５Ｂ内では、２本の第１電線Ｗ１の間の間隔を広げられるが、ツイスト形状を維持して配策されるため、通信品質を維持しつつツイストペア線を分岐できる等の効果がある。
【００５７】
第２ハウジング部２０は、第１ハウジング部１０に組付けされる合体用ハウジング部２１と、一対の圧接端子５０が固定される端子固定用ハウジング部３１とが一体に形成されているため、合体用ハウジング部２１と端子固定用ハウジング部３１との嵌合作業を行う必要がないため、第１実施形態に比較して、分岐コネクタ５Ｂの組付け作業性が良い。又、第２実施形態の分岐コネクタ５Ｂは、第１実施形態と比較して、部品点数の削減、軽量化等になる。
【００５８】
通信ネットワーク１は、２本の第１電線Ｗ１と２本の第２電線Ｗ２の間を接続する、上記した構成の分岐コネクタ５Ｂとを備えている。従って、第１実施形態と同様の理由によって、通信品質を維持しつつツイストペア線を分岐した通信ネットワーク１が得られる。
【００５９】
（第１実施形態の第１変形例）
図１４は、第１実施形態の第１変形例を示す。この第１変形例の分岐コネクタ５Ａは、前記第１実施形態と比較するに、端子固定用ハウジング部３１Ａの構成が相違する。つまり、第１変形例の端子固定用ハウジング部３１Ａは、コネクタ嵌合部２９の嵌合方向に直交する向きに第２電線Ｗ２を引き出すように構成されている。この第１変形例では、第２電線Ｗ２の配策経路が第１電線Ｗ１の平行方向である場合に、第２電線Ｗ２を所望の配策方向にスムーズに引き出すことができる。
【００６０】
他の構成は、前記第１実施形態と同じである。第１実施形態と同一構成箇所には、図面に同一符号を付して説明を省略する。
【００６１】
この第１変形例は、前記第２実施形態の分岐コネクタ５Ｂにも適用できる。
【００６２】
（第１実施形態の第２変形例）
図１５は、第１実施形態の第２変形例を示す。この第２変形例の分岐コネクタ５Ａは、前記第１実施形態と比較するに、合体用ハウジング部２１に締結バンド４３が設けられている。締結バンド４３によって分岐コネクタ５Ａをワイヤーハーネスの電線（幹線）Ｗに固定できる。分岐コネクタ５Ａを電線（幹線）Ｗ以外の部材に固定することもできる。
【００６３】
他の構成は、前記第１実施形態と同じである。第１実施形態と同一構成箇所には、図面に同一符号を付して説明を省略する。
【００６４】
この第２変形例は、前記第２実施形態の分岐コネクタ５Ｂにも適用できる。
【００６５】
（第１実施形態の第３変形例）
図１６は、第１実施形態の第３変形例を示す。この第３変形例の分岐コネクタ５Ａは、前記第１実施形態と比較するに、合体用ハウジング部２１の両端部に連結部４４，４５が設けられている。第３変形例では、複数の分岐コネクタ５Ａを連結できる。幹線ｗ１の同一の分岐点から複数組の第２電線Ｗ２を分岐する場合に便利である。また、複数の分岐コネクタ５Ａを一体化できるため、単一部品として取り扱うことができ、部品取扱性が良い。例えば、個々の分岐コネクタ５Ａ毎に車体への固定作業を行う必要がない等の効果がある。
【００６６】
（その他の変形例）
各実施形態では、第２ハウジング部２０が一対の圧接端子５０、つまり、１組の圧接端子５０を有する構成であったが、複数組の圧接端子５０を有する構成であっても良い。この場合には、複数組の圧接端子５０が１組（ツイストペア線を構成する２本）の第２電線Ｗ２に接続するものであっても良く、複数組の圧接端子５０が複数組のそれぞれの第２電線Ｗ２に接続する構成であっても良い。
【００６７】
各実施形態では、ツイストペア線を構成する２本の第１電線Ｗ１は、３箇所でリブ１３ａ，１３ｂが介在される構成であるが、リブ個数は１つでも、２つでも、４つ以上でも良い。
【００６８】
各実施形態では、配策経路部１１は、ツイスト溝１２とリブ１３ａ，１３ｂによって形成されているが、２本の第１電線Ｗ１を互いの間隔を広げたツイスト形状に配策できる構成であれば良い。例えば、配策経路部１１は、ツイスト溝１２のみの構成でも良く、又、リブ１３ａのみの構成でも良い。
【００６９】
各実施形態では、配策経路部１１は、ツイスト溝１２を有するが、第１ハウジング部１０に２本の第１電線Ｗ１が互いに間隔を広げたツイスト形状に倣った一対の側壁を立設して形成しても良い。一対の側壁は連続した側壁ではなく間欠的な側壁でも良い。
【００７０】
各実施形態では、突壁２４は、第２ハウジング部２０の合体用ハウジング部２１に設けた突壁２４は、ツイスト溝１２の形状に倣う形状（２本の第１電線Ｗ１が互いの間隔を広げたツイスト形状に倣う形状）であるが、ツイスト溝１２に間欠的に挿入される複数の突壁としても良い。
【符号の説明】
【００７１】
１  通信ネットワーク
Ｗ１  第１電線
Ｗ２  第２電線
５Ａ，５Ｂ  分岐コネクタ
１０  第１ハウジング部
１１  配策経路部
１２  ツイスト溝
１３ａ，１３ｂ  リブ
２０  第２ハウジング部
２１  合体用ハウジング部
２４  突壁
２９  コネクタ嵌合部
３１,３１Ａ  端子固定用ハウジング部
４２  フェライト部品
５０  圧接端子
５２  圧接刃
【図１】
2019079782.tif 000003
【図２】
2019079782.tif 000004
【図３】
2019079782.tif 000005
【図４】
2019079782.tif 000006
【図５】
2019079782.tif 000007
【図６】
2019079782.tif 000008
【図７】
2019079782.tif 000009
【図８】
2019079782.tif 000010
【図９】
2019079782.tif 000011
【図１０】
2019079782.tif 000012
【図１１】
2019079782.tif 000013
【図１２】
2019079782.tif 000014
【図１３】
2019079782.tif 000015
【図１４】
2019079782.tif 000016
【図１５】
2019079782.tif 000017
【図１６】
2019079782.tif 000018
【図１７】
2019079782.tif 000019
【図１８】
2019079782.tif 000020